(57)【特許請求の範囲】
【請求項１】
第１のフレーム部と該第１のフレーム部に回動可能に取り付けられる第２のフレーム部とを含む担架と、
前記第１のフレーム部と係合し、前記担架を分離可能に支持する支持部と、
前記支持部の傾斜角度を変更する傾斜角度変更手段と、
前記第２のフレーム部の前記第１のフレーム部に対する所定方向への回動を阻止する第１の状態と、前記所定方向への回動を可能とする第２の状態とを切り替える切り替え手段と、
を備え、
前記担架が前記支持部の所定の位置に載せられる場合に、前記第１の状態から前記第２の状態に切り替わり、前記支持部の傾斜角度の変更に伴って前記所定方向への回動が行われることを特徴とする入浴装置。
【請求項２】
前記第２のフレーム部が前記所定方向に回動する際に、前記第２のフレーム部の一部を摺動可能に支持する摺動支持部を更に備えることを特徴とする請求項１に記載の入浴装置。
【請求項３】
前記切り替え手段は、
前記第２のフレーム部の一部と当接して前記所定方向への回動を阻止する回動阻止部を備え、
前記担架が前記所定の位置に載せられる場合に、前記回動阻止部と前記第２のフレーム部の一部との当接を解除することを特徴とする請求項１又は２に記載の入浴装置。
【請求項４】
前記切り替え手段は、
前記回動阻止部をスライド移動する移動機構と、
前記担架が前記所定の位置に載せられる場合に、前記移動機構と係合して前記回動阻止部を前記第２のフレーム部の回動を阻止しない位置にスライド移動させる係合部と、
を更に備え、
前記移動機構は、
前記第１のフレーム部に取り付けられる軸部と、
前記回動阻止部を有し、前記軸部にスライド移動可能に支持されるブロック部と、
を含み、
前記係合部は、前記支持部に取り付けられて、前記担架が前記所定の位置に近づけられる場合に、前記ブロック部の一部を押圧して前記回動阻止部をスライド移動することを特徴とする請求項３に記載の入浴装置。
【請求項５】
前記移動機構は、前記係合部による前記ブロック部の押圧方向と反対方向に前記ブロック部を付勢する付勢部材を更に含むことを特徴とする請求項４に記載の入浴装置。
【請求項６】
前記係合部による前記回動阻止部のスライド移動開始前に、前記第２のフレーム部を前記所定方向と反対方向に回動して前記第２のフレーム部の一部と前記回動阻止部との当接を解除する解除機構を更に備えることを特徴とする請求項４又は５に記載の入浴装置。
【請求項７】
前記所定方向は、前記第２のフレーム部が自重で回動する方向であることを特徴とする請求項１から６のいずれか１項に記載の入浴装置。
【請求項８】
前記第２のフレーム部は、前記担架に載る入浴者の足先側を載せる部分を構成することを特徴とする請求項１から７のいずれか１項に記載の入浴装置。
【請求項９】
前記支持部を前記傾斜角度変更手段による傾斜角度の変更可能に支持する支柱と、
前記支柱に沿って昇降する浴槽と、
を更に備えることを特徴とする請求項１から８のいずれか１項に記載の入浴装置。
【発明の詳細な説明】
【技術分野】
【０００１】
本発明は入浴装置に関する。
【背景技術】
【０００２】
従来、病人、老人、身体障害者等の介助が必要な者（要介助者）を入浴させることを目的として、入浴者を担架に載せたまま浴槽内の湯に浸からせる入浴装置が開発されている（例えば特許文献１参照）。
【０００３】
特許文献１に開示される入浴装置においては、入浴者は、浴槽に横付けされたストレッチャーから、担架ごと浴槽内の支持台上に移される。担架が支持台上に移されると、浴槽側面の扉が閉じられて、湯が浴槽内に適量溜められる。その後、支持台が水平状態から傾けられることにより、入浴者は肩口まで湯に浸かることができる。なお、支持台は、担架に載った入浴者の足側に比べて臀部側が下になるように傾斜する。
【先行技術文献】
【特許文献】
【０００４】
【特許文献１】特開２００８−２７８９８０号公報
【発明の概要】
【発明が解決しようとする課題】
【０００５】
ところで、入浴時に支持台を傾ける入浴装置においては、支持台と共に担架も傾く。このために、入浴装置の構成の仕方によっては、支持台を傾けることによって、担架に載った入浴者の足先が湯の外に出てしまうという状況が起こり得る。例えば、浴槽の深さを浅くするために支持台の傾斜を大きくする場合に、足先が湯の外に出やすくなる。また、担架に載る入浴者の身長が高い場合に、足先が湯の外に出てしまう状況が起こり得る。足先が湯から出てしまうと、入浴者は十分に温まることができないために、このような事態の発生は好ましくない。
【０００６】
以上の点に鑑みて、本発明の目的は、入浴時に入浴者の載る担架を傾けて入浴させる入浴装置において、入浴者が快適に入浴できる技術を提供することである。
【課題を解決するための手段】
【０００７】
上記目的を達成するために本発明の入浴装置は、第１のフレーム部と該第１のフレーム部に回動可能に取り付けられる第２のフレーム部とを含む担架と、前記第１のフレーム部と係合し、前記担架を分離可能に支持する支持部と、前記支持部の傾斜角度を変更する傾斜角度変更手段と、前記第２のフレーム部の前記第１のフレーム部に対する所定方向への回動を阻止する第１の状態と、前記所定方向への回動を可能とする第２の状態とを切り替える切り替え手段と、を備え、前記担架が前記支持部の所定の位置に載せられる場合に、前記第１の状態から前記第２の状態に切り替わり、前記支持部の傾斜変更に伴って前記所定方向への回動が行われる構成（第１の構成）になっている。
【０００８】
本構成の入浴装置においては、担架が支持部の所定の位置に載せられていない場合には、第２のフレーム部は第１のフレーム部に対して所定方向に回動できない。一方、担架が支持部の所定の位置に載せられると、支持部の傾斜変更に伴って、第２のフレーム部は第１のフレーム部に対して所定方向に回動する。すなわち、本構成では、適切なタイミングで担架の変形が可能になる。このため、本構成によれば、入浴者の安全を確保しつつ、入浴者の体を浴槽の湯に十分浸からせることが可能になる。
【０００９】
上記第１の構成の入浴装置は、前記第２のフレーム部が前記所定方向に回動する際に、前記第２のフレーム部の一部を摺動可能に支持する摺動支持部を更に備える構成（第２の構成）であるのが好ましい。本構成によれば、支持部の傾斜変更に伴って第２のフレーム部が急激に回動することを防止することができ、入浴者の安全を確保し易い。
【００１０】
上記第１又は第２の構成の入浴装置において、前記切り替え手段は、前記第２のフレーム部の一部と当接して前記所定方向への回動を阻止する回動阻止部と、前記回動阻止部をスライド移動する移動機構と、前記担架が前記所定の位置に載せられる場合に、前記移動機構と係合して前記回動阻止部を前記第２のフレーム部の回動を阻止しない位置にスライド移動させる係合部と、を備える構成（第３の構成）であるのが好ましい。本構成によれば、担架の移動に連動して切り替え手段を確実に動作させ易い。
【００１１】
上記第３の構成の入浴装置において、前記移動機構は、前記第１のフレーム部に取り付けられる軸部と、前記回動阻止部を有し、前記軸部にスライド移動可能に支持されるブロック部と、を含み、前記係合部は、前記支持部に取り付けられて、前記担架が前記所定の位置に近づけられる場合に、前記ブロック部の一部を押圧して前記回動阻止部をスライド移動する構成（第４の構成）であってよい。
【００１２】
上記第４の構成の入浴装置において、前記移動機構は、前記係合部による前記ブロック部の押圧方向と反対方向に前記ブロック部を付勢する付勢部材を更に含む構成（第５の構成）であるのが好ましい。本構成によれば、支持部から担架が分離される場合に、ブロック部を自動的に適切な位置に戻すことが可能になる。
【００１３】
上記第３から第５のいずれかの構成の入浴装置は、前記係合部による前記回動阻止部のスライド移動開始前に、前記第２のフレーム部を前記所定方向と反対方向に回動して前記第２のフレーム部の一部と前記回動阻止部との当接を解除する解除機構を更に備える構成（第６の構成）であるのが好ましい。本構成によれば、回動阻止部に第２のフレーム部の重みが加わっていない状態で回動阻止部をスライド移動できるために、回動阻止部のスライド移動をスムーズに行える。
【００１４】
上記第１から第６のいずれかの構成の入浴装置において、前記所定方向は、前記第２のフレーム部が自重で回動する方向である（第２の構成）のが好ましい。
【００１５】
上記第１から第７のいずれかの構成の入浴装置において、前記第２のフレーム部は、前記担架に載る入浴者の足先側を載せる部分を構成する（第８の構成）のが好ましい。本構成によれば、支持部の傾斜変更に合わせて担架を変形し、入浴者の足先が湯から外に出ることを防ぐことができる。
【００１６】
上記第１から第８のいずれかの構成の入浴装置は、前記支持部を傾斜角変更可能に支持する支柱と、前記支柱に沿って昇降する浴槽と、を更に備える構成（第９の構成）であってよい。本構成によれば、担架が支持部に載せられた後に、湯を溜める作業を行わずにすみ、入浴者が快適に入浴を行い易い。
【発明の効果】
【００１７】
本発明によれば、入浴時に入浴者の載る担架を傾けて入浴させる入浴装置において、入浴者が快適に入浴できる技術を提供できる。
【図面の簡単な説明】
【００１８】
【図１】先行開発の入浴装置を模式的に示した第１の側面図
【図２】先行開発の入浴装置を模式的に示した第２の側面図
【図３】先行開発の入浴装置の使用例を説明するために模式的に示した第１の側面図
【図４】先行開発の入浴装置の使用例を説明するために模式的に示した第２の側面図
【図５】先行開発の入浴装置の使用例を説明するために模式的に示した第３の側面図
【図６】本発明の実施形態に係る入浴装置が備える担架のフレーム構成を示す概略側面図
【図７】本発明の実施形態に係る入浴装置が備える担架の一部を拡大して示した概略斜視図
【図８】本発明の実施形態に係る入浴装置が備える第１のフレーム部が有する連結フレームの構成を示す概略斜視図
【図９】本発明の実施形態に係る入浴装置が備える連結フレームに移動機構が設けられた状態を拡大して示した概略斜視図
【図１０】本発明の実施形態に係る入浴装置が備える第２のフレーム部を斜め下方側から見た概略斜視図
【図１１】本発明の実施形態に係る入浴装置が備える支持台周辺の構成を示す概略斜視図
【図１２】本発明の実施形態に係る入浴装置の、担架が支持台に載せられる際の作用を説明する側面模式図
【図１３】本発明の実施形態に係る入浴装置の、担架が支持台に載せられる際の作用を説明する上面模式図
【図１４】本発明の実施形態に係る入浴装置を用いて入浴者が浴槽の湯に浸かった状態を示す模式図
【発明を実施するための形態】
【００１９】
以下、本発明の実施形態に係る入浴装置について、図面を参照しながら詳細に説明する。ただし、本発明の理解を容易にするために、本出願人が先行して開発した入浴装置と、その課題について先に説明してから、本発明の実施形態に係る入浴装置の説明を行う。
＜先行開発の入浴装置＞
【００２０】
図１及び図２は、先行開発の入浴装置１００を模式的に示した側面図である。図１及び図２においては、入浴装置１００を側面から見た場合に本来見えない部分が、一部見えるように描かれている。
【００２１】
図１及び図２に示すように、先行開発の入浴装置１００は、床Ｆ上に固定配置される架台１と、この架台１上に配置される浴槽２とを備えている。その他、入浴装置１００は、図１及び図２おいては不図示の担架を備える。入浴者は、担架に載せられた状態で、浴槽２内に溜められた湯に浸かる。
【００２２】
架台１には、上下方向（鉛直方向）に延びる支柱１１が立設されている。支柱１１は、浴槽２の底壁２１を液密に貫通している。浴槽２は、支柱１１に沿って昇降動可能に設けられている。浴槽２の昇降は、架台１上に設けられる不図示の昇降手段によって行われる。
【００２３】
なお、昇降手段の構成は特に限定されるものではないが、昇降手段は、例えば、Ｘリンク機構と昇降シリンダー（例えば油圧シリンダー）とを用いた公知の構成を採用できる。昇降シリンダーのピストンの伸縮によって、Ｘリンク機構が上下方向に伸縮し、このＸリンク機構の上下方向の伸縮によって、浴槽２が昇降する。図１は浴槽２が最下位まで下げられた状態を示し、図２は浴槽２が最上位まで上げられた状態を示している。
【００２４】
支柱１１の上面部には、支持フレーム１２が固設されている。支持フレーム１２は、支柱１１から浴槽２の長手方向の一方側（足が配置される側）に向けて大きく延び出し、担架を載せる支持台１３を回動可能に支持している。当該回動の中心は、支持フレーム１２に固定配置され、支持台１３の一端部側（浴槽２の長手方向に平行な方向の一端部側、図１及び図２において左端側）に連結されるシャフト１４が担う。支持台１３は、シャフト１４を中心として回動することによって傾斜角度を変更する。換言すると、支持台１３は、支柱１１に傾斜角変更可能に支持されている。
【００２５】
支持台１３の下面側には、例えば油圧シリンダーで構成されるチルトシリンダー３のピストン３１の先端側が連結されている。チルトシリンダー３の本体部分は、中空に設けられる支柱１１内に固定配置されている。チルトシリンダー３のピストン３１は、支柱１１の上面を液密に貫通し、支柱１１の上面から突出している。ピストン３１の支柱１１上面からの突出量の変動によって、支持台１３はシャフト１４を中心として回動し、その傾斜角度を変える。なお、図１は、支持台１３が水平な状態（傾斜角度０°）を示している。図２は、支持台１３が水平から傾けられた状態を示している。
【００２６】
その他、支持台１３の上面には、担架を移動させる一対のレール１３１が設けられている。一対のレール１３１は、浴槽２の長手方向に垂直な方向（図１及び図２において紙面と垂直な方向）に延在している。
【００２７】
次に、以上のように構成される入浴装置１００の使用例について、図１及び図２に加えて、図３から図５も参照しながら説明する。なお、図３から図５は、先行開発の入浴装置１００の使用例を説明するために模式的に示した側面図である。入浴者Ｍを入浴させる場合の入浴装置１００の状態変化は、図３、図４、図５の順に進む。
【００２８】
入浴装置１００を用いて入浴者Ｍを入浴させる場合、図１に示すように、浴槽２は最下位まで下げられ、支持台１３は水平とされる。この状態では、支持台１３上のレール１３１は、浴槽２の上縁よりも少し高い位置に位置する。なお、チルトシリンダー３のピストン３１は、支持台１３を水平姿勢とすべく、支柱１１の上面から大きく突出している。
【００２９】
次に、図１に示す状態の浴槽２の長手方向の側面（例えば図１の紙面より手前側）に、担架４が載せられたストレッチャー（不図示）が横付けされる。なお、担架４には、入浴者Ｍが載せられている。そして、図３に示すように、ストレッチャー上の担架４が、浴槽２の側面から支持台１３に移送される。担架４の下部側には、２種類のローラーＲ１、Ｒ２が取り付けられており、当該ローラーＲ１、Ｒ２がレール１３１に沿って転がることによって、担架４は支持台１３に移送される。
【００３０】
なお、ローラーＲ１は、レール１３１の上面に当接し、ローラーＲ２は、レール１３１の側面に当接する。また、支持台１３に移された担架４が脱落しないように、支持台１３には、担架４を固定可能とする不図示のロック機構が設けられている。
【００３１】
支持台１３の所定の位置に担架４が載せられると、浴槽２が不図示の昇降手段によって最上位まで上昇される。これにより、図４に示すように、担架４及び支持台１３は、浴槽２内の湯に浸かる。この際、担架４に載った入浴者Ｍの体の一部は湯に浸かるが、例えば上半身等の一部は湯から出た状態になる。すなわち、入浴者Ｍは、浴槽２内の湯に十分浸かれていない。
【００３２】
浴槽２が最上位まで上昇された後、チルトシリンダー３のピストン３１が縮められる。これによって、担架４を載せた支持台１３が、図５に示すように、水平姿勢から所定の角度（例えば２０°程度）傾けられる。支持台１３が傾くと、担架４も傾く。この際、担架４の、入浴者Ｍの上半身側が載せられる部分は、浴槽２の底壁に押されて折れ曲がるようになっている。このために、支持台１３を傾斜させることによって、入浴者Ｍの頭が湯の中に入ってしまうことを避けつつ、入浴者Ｍを肩口まで湯に浸からせることができる。なお、出浴時には、以上と逆の動作が行われる。
【００３３】
入浴装置１００によれば、チルトシリンダー３を用いて支持台１３を水平姿勢から傾斜姿勢とできるために、浴槽２の上昇量や深さを抑制しつつ、入浴者Ｍを肩口まで湯に浸からせることが可能である。このために、背の低い介助者でも、入浴中における介助作業を楽に行うことができる。また、浴槽２の上昇量や深さを抑制する等の目的で、浴槽２の底部に機構を付加しない構成であるために、浴槽２の清掃が行いやすい。
【００３４】
ところで、先行開発の入浴装置１００における担架４は、例えば担架４を支持台１３上に移送する際の入浴者Ｍの安全面等を考慮して、担架４の足先側が曲がらない構成になっている。このために、支持台１３が水平姿勢から傾斜姿勢になった場合に、例えば入浴者Ｍの体が大きいと、図５に示すように、入浴者Ｍの足先が湯から出てしまうことがあった。足先が湯から出てしまうと、入浴者Ｍは、体を十分に温められず、快適に入浴できない可能性がある。本発明の実施形態に係る入浴装置は、このような点を改善するための工夫が施されている。以下、本発明の実施形態に係る入浴装置について説明する。
＜本発明の実施形態に係る入浴装置＞
【００３５】
本発明の実施形態に係る入浴装置は、入浴者を載せる担架の一部の構成と、担架を分離可能に支持する支持台及びその周辺の一部の構成とが、先行開発の入浴装置１００と異なる。本発明の実施形態に係る入浴装置の他の部分は、先行開発の入浴装置１００と同様である。例えば、本発明の実施形態に係る入浴装置は、支柱１１に沿って昇降する浴槽２を備える。また、本発明の実施形態に係る入浴装置は、支持台１３の傾斜角度を変更するチルトシリンダー３を備える。なお、支持台１３は、本発明の支持部の一例である。また、チルトシリンダー３は、本発明の傾斜角度変更手段の一例である。
【００３６】
以下、先行開発の入浴装置１００と異なる部分を中心として説明を行う。また、先行開発の入浴装置１００と重複する部分については同一の符号を付し、特に説明の必要がない場合には、その説明を省略する。
【００３７】
図６は、本発明の実施形態に係る入浴装置が備える担架４のフレーム構成を示す概略側面図である。図６に示すように、担架４は、入浴者の上半身を載せることが想定された上半身フレーム部ＵＦと、入浴者の下半身を載せることが想定された下半身フレーム部ＬＦとを備えている。また、下半身フレーム部ＬＦは、入浴者の臀部から膝関節までを載せることが想定された第１のフレーム部４０と、入浴者の膝関節から足先までを載せることが想定された第２のフレーム部４１とを備えている。換言すると、第２のフレーム部４１は、担架４に載る入浴者の足先側が載せられる部分を構成する。なお、本実施形態では、各フレーム部ＵＦ、４０、４１には、不図示のカバー部材が被せられる。ただし、場合によっては、カバー部材は取り付けられなくてもよい。
【００３８】
第１のフレーム部４０は、その下面側に２種類のローラーＲ１、Ｒ２を備える。これら２種類のローラーＲ１、Ｒ２は、支持台１３に設けられるレール１３１に沿って転がるように設けられている。換言すると、支持台１３に設けられるレール１３１は、第１のフレーム部４０（詳細にはローラーＲ１、Ｒ２）と係合する。担架４は、第１のフレーム部４０に設けられるローラーＲ１、Ｒ２の存在により、レール１３１を有する支持部１３上に外部から移送することができる。また、担架４は、支持部１３から分離した状態にできる。
【００３９】
上半身フレーム部ＵＦは、第１のフレーム部４０の一端側に回動可能に取り付けられている。上半身フレーム部ＵＦは、その上面が第１のフレーム部４０の上面と略平行になった状態（図６に示す状態）より下方（自重で回動する方向）に回動できない。一方、上半身フレーム部ＵＦは、図６に示す状態より上方に回動できる。このために、支持台１３が傾斜した場合でも、担架４に載る入浴者の頭部が湯の中に入ってしまうことを避けつつ、入浴者を肩口まで湯に浸からせることができる。この点は、上述した先行開発の入浴装置１００と同様である。
【００４０】
第２のフレーム部４１は、第１のフレーム部４０に回動可能に取り付けられている。第２のフレーム部４１の取り付け位置は、上半身フレーム部ＵＦが取り付けられる側と反対側の端部である。第２のフレーム部４１は、通常は、その上面が第１のフレーム部４０の上面と略平行になった状態（図６に示す状態）より下方（自重で回動する方向）に回動できない。しかし、担架４が支持台１３の所定の位置に載せられた場合に、下方に回動可能になる。この点、本実施形態の入浴装置１の特徴である。以下、この特徴点を詳細に説明する。なお、第２のフレーム部４１は、図６に示す状態より上方に回動できる。また、本実施形態においては、担架４が支持台１３の所定の位置に載せられた状態とは、担架４の短手方向の中心位置が、支持台１３の短手方向の中心位置と一致した状態である。
【００４１】
図７は、本発明の実施形態に係る入浴装置が備える担架４の一部を拡大して示した概略斜視図である。詳細には、図７は、図６の破線で囲った部分を拡大して示した概略図である。図７に示すように、第１のフレーム部４０の第２のフレーム部４１と連結される側の端部には、連結フレーム４０１が備えられている。
【００４２】
図８は、本発明の実施形態に係る入浴装置が備える第１のフレーム部４０が有する連結フレーム４０１の構成を示す概略斜視図である。連結フレーム４０１は、帯状のプレート部４０１ａと、プレート部４０１ａの一方の面から突出する４つの軸支持部４０１ｂ、４０１ｃ、４０１ｄ、４０１ｅとを備える。第２のフレーム部４１の長手方向の一端部に設けられる回動軸４１１は、４つの軸支持部４０１ｂ〜４０１ｅに回動可能に支持される。そして、これにより、第２のフレーム部４１は、第１のフレーム部４０に回動可能に連結されている。
【００４３】
図９は、本発明の実施形態に係る入浴装置が備える連結フレーム４０１に移動機構４０２が設けられた状態を拡大して示した概略斜視図である。移動機構４０２は、連結フレーム４０１の中央近傍に設けられる２つの軸支持部４０１ｃ、４０１ｄに支持されるスライド軸４０２ａ（本発明の軸部の一例）を備える。また、移動機構４０２は、スライド軸４０２ａにスライド移動可能に支持されるスライドブロック４０２ｂ（本発明のブロック部の一例）を備える。スライドブロック４０２ｂは、その下面側に、レバー部４０２ｂ１を含む。また、スライドブロック４０２ｂの上面側には、フレーム受け部４０３が設けられている。
【００４４】
スライド軸４０２ａには、スライドブロック４０２ｂを挟むように２つの圧縮バネ４０２ｃ（後述の図１３参照）が外嵌されている。これら２つの圧縮バネ４０２ｃの作用により、スライドブロック４０２ｂは、外力が加えられていない場合には、スライド軸４０２ａの略中央部に位置する。なお、圧縮バネ４０２ｃは、本発明の付勢部材の一例である。
【００４５】
図１０は、本発明の実施形態に係る入浴装置が備える第２のフレーム部４１を斜め下方側から見た概略斜視図である。図１０に示すように、第２のフレーム部４１には、回動軸４１１と対向するように突出部４１２が設けられている。突出部４１２は、スライドブロック４０２ｂがスライド軸４０２ａの略中央部に位置する場合に、フレーム受け部４０３に当接する（図７参照）。このために、第２のフレーム部４１は、通常は、自重によって第１のフレーム部４０に対して回動しない。すなわち、通常は、第１のフレーム部４０と第２のフレーム部４１とは、図６に示す関係となる。
【００４６】
なお、図１０に示すように、第２のフレーム部４１の下面側には、持ち上げ用ドック４１３が設けられている。持ち上げ用ドック４１３は、球面部４１３ａを備える。持ち上げ用ドック４１３の作用については後述する。
【００４７】
図１１は、本発明の実施形態に係る入浴装置が備える支持台１３周辺の構成を示す概略斜視図である。図１１に示すように、支持台１３の長手方向の一端部には、突出片１３２が設けられている。突出片１３２は、支持台１３の短手方向（幅方向）の中央部に設けられている。突出片１３２は、浴槽２の長手方向と略平行な方向に突出している。突出片１３２上には、押圧ブロック１３３が固着されている。
【００４８】
また、図１１に示すように、支持フレーム１２には、突出片１３２と同方向に延び出す延出部１２１が設けられている。延出部１２１の先端部上には、持ち上げ用ブロック１２２が固着されている。持ち上げ用ブロック１２２は、略角錐台形状に設けられている。持ち上げ用ブロック１２２は、押圧ブロック１３３に比べて、浴槽２の短手方向の長さが大きく設けられている。なお、持ち上げ用ブロック１２２及び押圧ブロック１３３の短手方向の中心位置は、浴槽２を上面視した場合、浴槽２の短手方向の中心位置に一致している。本実施形態では、浴槽２の短手方向の中心位置は、支持台１３の短手方向の中心位置と同じである。
【００４９】
図１２は、本発明の実施形態に係る入浴装置の、担架４が支持台１３に載せられる際の作用を説明する側面模式図である。図１３は、本発明の実施形態に係る入浴装置の、担架４が支持台１３に載せられる際の作用を説明する上面模式図である。担架４は、その短手方向の中心位置が浴槽２（支持台１３）の短手方向の中心位置と一致するように、支持台１３に載せられる。
【００５０】
なお、担架４を上面視した場合、外部から力を加えられていないスライドブロック４０２ｂ、突出部４１２、及び、持ち上げ用ドック４１３は、担架４の短手方向の中心線上に存在する。また、図１２において、浴槽２及び担架４の短手方向は、紙面と直交する方向である。図１３において、浴槽２及び担架４の短手方向は左右方向である。
【００５１】
担架４は、例えばストレッチャーや洗浄台（いずれも不図示）等から支持台１３に移送される。移送開始時においては、第２のフレーム部４１の突出部４１２がフレーム受け部４０３に当接している。このため、移送開始時においては、第２のフレーム部４１は、その自重によって第１のフレーム部４０に対して回動することはない。すなわち、フレーム受け部４０３は、本発明の回動阻止部を構成する。
【００５２】
担架４を支持台１３に載せる場合、担架４が浴槽２の側面から支持台１３に近づけられ、第１のフレーム部４０に設けられるローラーＲ１、Ｒ２と支持台１３上のレール１３１とが係合した状態にされる（図１２（ａ）参照）。そして、図１３（ａ）に示すように、担架４は、その短手方向の中心位置が浴槽２の短手方向の中心位置と一致するように、レール１３１に沿って移動される。
【００５３】
担架４の移動がある程度進むと、第２のフレーム部４１に備えられる持ち上げ用ドック４１３が、支持フレーム１２に取り付けられる持ち上げ用ブロック１２２に当接を開始する。この状態で、担架４を同方向に移動し続けると、持ち上げ用ドック４１３が持ち上げ用ブロック１２２によって持ち上げられるために、第２のフレーム部４１は、回動軸４１１を中心として上方（Ｘ２方向）に回動する（図１２（ｂ）参照）。これにより、第２のフレーム部４１の突出部４１２と、フレーム受け部４０３との間に隙間が発生する。第２のフレーム部４１の重みがフレーム受け部４０３に加わらなくなるために、スライドブロック４０２ｂのスライド移動が容易になる。
【００５４】
担架４の同方向への移動を更に続けると、図１３（ｂ）に示すように、スライドブロック４０２ｂの下部側に設けられるレバー部４０２ｂ１と押圧ブロック１３３が当接を開始する。担架４の同方向への移動を更に続けると、押圧ブロック１３３がレバー部４０２ｂ１を押圧し、スライドブロック４０２ｂはスライド軸４０２ａに沿ってスライド移動する。担架４の短手方向の中心位置と、浴槽２の短手方向の中心位置とが略一致するまで担架４が移動される（担架４が支持台１３の所定の位置まで移動される）と、フレーム受け部４０３は、突出部４１２と当接しない位置に至る（図１３（ｃ）参照）。押圧ブロック１３３は、本発明の係合部を構成する。
【００５５】
なお、図１３（ｃ）に示す状態では、第２のフレーム部４１の第１のフレーム部４０に対する下方（自重で回動する方向）への回動は、フレーム受け部４０３によって邪魔されない。すなわち、第２のフレーム部４１は、第１のフレーム部４０に対して下方に回動可能になる。ただし、持ち上げ用ドック４１３が持ち上げ用ブロック１２２によって支持されるために、図１３（ｃ）に示す状態になっても、直ちに、第２のフレーム部４１が下方に回動を行うわけではない。
【００５６】
担架４が支持台１３の所定の位置（担架４の短手方向の中心位置と、浴槽２の短手方向の中心位置とが略一致する位置）まで移動された状態で、支持台１３を水平状態から傾いた状態にする。図１２（ｃ）に示すように、第２のフレーム部４１は、支持台１３の傾斜変更に伴って、第１のフレーム部４０に対して下方（Ｘ１方向）に回動する。この際、持ち上げ用ドック４１３が、持ち上げ用ブロック１２２上を摺動する。すなわち、持ち上げ用ブロック１２２は、本発明の摺動支持部を構成する。持ち上げ用ブロック１２２の存在により、第２のフレーム部４１が下方に急激に回動することを防止でき、担架４に載る入浴者の安全を確保できる。
【００５７】
図１４は、本発明の実施形態に係る入浴装置を用いて入浴者Ｍが浴槽２の湯に浸かった状態を示す模式図である。上述のように、本実施形態の入浴装置では、支持台１３が傾くと、支持台１３載る担架４の第２のフレーム部４１が下方に回動する。このために、図１４に示すように、第２のフレーム部４１に載せられた入浴者Ｍの足先が、浴槽２内の湯から出てしまうという事態を抑制できる。すなわち、入浴者Ｍは、体全体を湯にしっかり浸けて温まることができ、快適に入浴できる。
【００５８】
なお、入浴者Ｍが湯から出る際には、支持台１３が傾斜姿勢から水平姿勢に戻される。この際、持ち上げ用ドック４１３が持ち上げ用ブロック１２２に押圧されるために、第２のフレーム部４１も水平状態に戻る。また、担架４を浴槽２から引き出すために支持台１３上をレール１３１に沿って動かすと、圧縮バネ４０２ｃの作用によって、スライドブロック４０２ｂがスライド軸４０２ａの中央部に戻る。このために、持ち上げ用ドック４１３と持ち上げ用ブロック１２２との当接が解除されても、突出部４１２とフレーム受け部４０３とが当接するために、第２のフレーム部４１が自重によって回動することを防止できる。すなわち、第２のフレーム部４１の水平状態が維持されたまま、担架４の支持台１３からの分離（例えばストレッチャー等への移送）が完了する。
【００５９】
以上からわかるように、本実施形態のフレーム受け部４０３、移動機構４０２、及び、押圧ブロック１３３は、第２のフレーム部４１の第１のフレーム部４０に対する所定方向（下方）への回動を阻止する第１の状態と、前記所定方向への回動を可能とする第２の状態とを切り替える切り替え手段として機能する。すなわち、フレーム受け部４０３、移動機構４０２、及び、押圧ブロック１３３は、本発明の切り替え手段を構成する。
【００６０】
また、持ち上げ用ブロック１２２と持ち上げ用ドック４１３とは、押圧ブロック１３３による押圧開始前に、第２のフレーム部４１を上方（所定方向と反対方向）に回動して突出部４１２（第２のフレーム部４１の一部）とフレーム受け部４０３との当接を解除する解除機構を構成する。すなわち、持ち上げ用ブロック１２２及び持ち上げ用ドック４１３は、本発明の解除機構を構成する。
＜その他＞
【００６１】
以上に示した実施形態は、本発明の例示にすぎない。以上に示した実施形態の構成は、本発明の技術的思想を超えない範囲で適宜変更されて構わない。
【００６２】
例えば、以上においては、傾斜角度変更手段として油圧式のシリンダーを利用したが、これは一例にすぎない。傾斜角度変更手段は、例えばモーターで駆動するスクリューネジを用いて構成する等しても構わない。
【００６３】
また、以上においては、押圧ブロック１３３によるレバー部４０２ｂ１の押圧開始前に、第２のフレーム部４１を上方に回動して突出部４１２とフレーム受け部４０３との当接を解除する解除機構を設けた。ただし、これは一例に過ぎず、場合によっては、解除機構は設けられなくてもよい。解除機構を設けた方が、スライドブロック４０２ｂをスライド軸４０２ａに対してスムーズに移動させることができるので好ましい。
【００６４】
また、以上においては、持ち上げ用ブロック１２２を支持台１３に設けた。しかし、これは例示にすぎない。持ち上げ用ブロックは、例えば、浴槽２の底面（傾斜面）に凸部を形成することによって得てもよい。この際、持ち上げ用ドックの代わりとして、例えば、第２のフレーム部４１の下面に設けられるローラー４１４等が利用されてもよい。
【００６５】
また、以上においては、浴槽２が昇降するタイプの入浴装置に本発明が適用される場合を示したが、本発明の適用範囲はこれに限定されない。すなわち、本発明は、浴槽の昇降機能の有無にかかわらず、支持台をチルト（傾斜）させる機能を有する入浴装置に広く適用可能である。
【符号の説明】
【００６６】
２        浴槽
４        担架
３        チルトシリンダー（傾斜角度変更手段）
１１      支柱
１３      支持台（支持部）
４０      第１のフレーム部
４１      第２のフレーム部
１２２    持ち上げ用ブロック（摺動支持部、解除機構）
１３３    押圧ブロック（係合部）
４０２    移動機構
４０２ａ  スライド軸（軸部）
４０２ｂ  スライドブロック（ブロック部）
４０２ｃ  圧縮バネ（付勢部材）
４０３    フレーム受け部（回動阻止部）
４１３    持ち上げ用ドック（解除機構）
【図１】
0006616634.tif 000002
【図２】
0006616634.tif 000003
【図３】
0006616634.tif 000004
【図４】
0006616634.tif 000005
【図５】
0006616634.tif 000006
【図６】
0006616634.tif 000007
【図７】
0006616634.tif 000008
【図８】
0006616634.tif 000009
【図９】
0006616634.tif 000010
【図１０】
0006616634.tif 000011
【図１１】
0006616634.tif 000012
【図１２】
0006616634.tif 000013
【図１３】
0006616634.tif 000014
【図１４】
0006616634.tif 000015